(57)【要約】本発明は、電子小荷物仕分けシステムを制御する方法及び該方法を実行するインタフェースに関する。本方法は、電子小荷物仕分けシステムの制御データがサーバに格納され、仕分けシステムを制御するための制御コマンドに変換され、該制御コマンドがインタフェースを介し小荷物仕分けシステムに送信されることを特徴とする。【特許請求の範囲】
【請求項１】
電子小荷物パッケージ仕分けシステム制御方法であって、電子小荷物仕分けシステムの制御データがサーバに格納され、前記小荷物仕分けシステムを制御するための制御コマンドに変換され、前記制御コマンドはインタフェースを介し前記小荷物仕分けシステムに送信されることを特徴とする方法。
【請求項２】
請求項１記載の方法であって、前記制御コマンドは前記電子小荷物仕分けシステムの動作パラメータを変更することを特徴とする方法。
【請求項３】
請求項１または２の一項あるいは両方に記載の方法であって、前記制御コマンドは、利用可能な動作機能の選択が変更されるよう、前記電子小荷物仕分けシステムの領域にある電子制御ユニットに対し行われることを特徴とする方法。
【請求項４】
請求項３記載の方法であって、前記動作機能の変更は小荷物仕分け室の開放可能性の変更からなることを特徴とする方法。
【請求項５】
前記請求項の１以上に記載の方法であって、前記小荷物仕分けシステムを制御するための制御コマンドは、グラフィックユーザインタフェースのプロパティを変更することを特徴とする方法。
【請求項６】
請求項５記載の方法であって、前記グラフィックユーザインタフェースのメニューアイテムの選択肢が前記制御コマンドにより変更されることを特徴とする方法。
【請求項７】
前記請求項の１以上に記載の方法であって、前記制御コマンドはＸＭＬプロトコルに従って送信されることを特徴とする方法。
【請求項８】
前記請求項の１以上に記載の方法であって、前記電子小荷物仕分けシステムは前記インタフェースに前記制御コマンドの送信要求を送信することを特徴とする方法。
【請求項９】
請求項８記載の方法であって、前記制御コマンドの送信要求はイベント発生時に繰り返されることを特徴とする方法。
【請求項１０】
請求項８または９の一項あるいは両方に記載の方法であって、前記要求は所定時間後繰り返されることを特徴とする方法。
【請求項１１】
前記請求項の１以上に記載の方法であって、前記サーバに格納されている前記データに変更がなされたかについてのチェック手続きが前記サーバの領域で実行され、前記サーバに格納されている前記データに変更がなされている場合、制御コマンドが前記小荷物仕分けシステムに送信されることを特徴とする方法。
【請求項１２】
請求項１１記載の方法であって、前記制御コマンドは、前記データストックに所定数の変更がなされたと同時に送信されることを特徴とする方法。
【請求項１３】
前記請求項の１以上に記載の方法であって、前記小荷物仕分けシステムは前記サーバにデータを送信することを特徴とする方法。
【請求項１４】
請求項１３記載の方法であって、前記サーバは前記送信されたデータを前記小荷物仕分けシステムを制御するための制御コマンドに変換することを特徴とする方法。
【請求項１５】
電子小荷物仕分けシステムを制御するインタフェースであって、
電子小荷物仕分けシステムの制御データ及び/または制御コマンドの前記小荷物仕分けシステムへの送信データを受信するデータ入力、及び
前記データ及び/または前記制御コマンドを前記小荷物仕分けシステムに送信する手段、
から構成されることを特徴とするインタフェース。
【発明の詳細な説明】
【０００１】
本発明は、電子小荷物パッケージ仕分けシステム（ｅｌｅｃｔｒｏｎｉｃ  ｐａｒｃｅｌ  ｐａｃｋａｇｅ  ｃｏｍｐａｒｔｍｅｎｔ  ｓｙｓｔｅｍ）制御方法に関する。
【０００２】
本発明はまた、前記方法を実行するのに適したインタフェースに関する。
【０００３】
本発明は、フレキシブルな調整が可能な電子小荷物仕分けシステム制御方法を生成するという課題に基づいている。特に、本方法は、小荷物仕分けシステムの動作パラメータの迅速かつ確実な変更を可能にすることを意図したものである。
【０００４】
本発明によると、この課題は、電子小荷物仕分けシステムの制御データがサーバに格納され、当該小荷物仕分けシステムを制御するための制御コマンドに変換され、当該制御コマンドがインタフェースを介し当該小荷物仕分けシステムに送信される電子小荷物仕分けシステム制御方法が実行されるということにより達成される。
【０００５】
本発明は、小荷物仕分けシステムの制御コマンドの一元化及び調和を伴う。
【０００６】
この一元化のために与えられるインタフェースは、小荷物仕分けシステムへの制御コマンドの実質的にリアルタイムの送信を可能とする。
【０００７】
さらに、本発明は、複数の電子小荷物仕分けシステムに対する調和された動作状態を可能にし、かつ短時間でのこれら動作状態の変更を可能にする。
【０００８】
このような動的変更は、電子小荷物仕分けシステムの動作パラメータだけでなく、個々のユーザまたはユーザグループのアクセス権限に関するものが可能である。
【０００９】
制御コマンドにより電子小荷物仕分けシステムの動作パラメータの変更が行われる実施例では、小荷物仕分けシステムの全体構成が変更可能であることが好ましい。
【００１０】
このように、例えば、個々のユーザ及び/またはユーザグループに対する引き取り期間（ｐｉｃｋ−ｕｐ  ｔｉｍｅ  ｐｅｒｉｏｄ）の一元的な変更が可能である。
【００１１】
さらに、制御コマンドが、利用可能な動作機能の選択が変更されるように、電子小荷物仕分けシステム領域にある電子制御ユニットに対し行われることが好適である。
【００１２】
さらに、小荷物仕分けシステムを制御するための制御コマンドがグラフィックユーザインタフェースのプロパティを変更することが好適である。
【００１３】
好適には、本発明の本実施例は、制御コマンドによりグラフィックユーザインタフェースのメニューアイテムの選択オプションが変更されるよう実施される。
【００１４】
制御コマンドの特にフレキシブルかつ確実な送信を可能にするため、ＸＭＬプロトコルに従って制御コマンドが送信されることが好適である。
【００１５】
原則として、制御コマンドは、プッシュ指向方法またはプル指向方法により小荷物仕分けシステムとサーバ間で送信される。
【００１６】
本発明の好適な実施例は、電子小荷物仕分けシステムがインタフェースに制御コマンドの送信要求を送信することを特徴とする。
【００１７】
ここで、イベント発生時、制御コマンドの送信要求が繰り返されることが好適である。
【００１８】
同様に、所定時間後、当該要求が繰り返されることが好適である。
【００１９】
本方法の特に好適な実施例では、サーバに格納されたデータに変更が加えられたか確かめるためのチェック手続きが当該サーバ領域で実行され、もしサーバに格納されたデータに変更が加えられている場合、制御コマンドが小荷物仕分けシステムに送信される。
【００２０】
このようにして、制御コマンドの包括的な送信が可能となる。さらに、必要となるデータトラフィックの軽減も可能となる。
【００２１】
さらにデータトラフィックを減少させるために、格納データに所定数の変更がなされると同時に、制御コマンドが送信されることが好適である。
【００２２】
さらに、小荷物仕分けシステムはデータをサーバに送信することが好適である。
【００２３】
小荷物仕分けシステムに対し制御コマンドを送信するインタフェースだけでなく他のインタフェースもまた、小荷物仕分けシステムからのデータのサーバへの転送に適したものである。
【００２４】
好適には、サーバは当該転送データを小荷物仕分けシステムを制御するための制御コマンドに変換する。
【００２５】
例示された手段はさらに、小荷物仕分けシステム及び方法の信頼性を向上させることができる。これは、特に、複数の小荷物仕分けシステムの１つで誤使用が発生したとき、付随するデータがサーバに送信され、その後すべての小荷物仕分けシステムに対する制御信号に変換されるための場合である。
【００２６】
本発明の主題はまた、電子小荷物仕分けシステムの制御及び/または小荷物仕分けシステムに制御コマンドの送信のためのデータを受信するデータ入力と、当該データ及び/または制御コマンドを小荷物仕分けシステムに転送するための手段を備えるよう構成されたインタフェースである。
【００２７】
本発明のさらなる効果、特別な特徴及び実践的な改良は、従属クレーム及び以下の好適な実施例の説明に続く。
【００２８】
以下の説明は、サーバと小荷物仕分けシステムとの間のデータ通信が確立される本発明の特に好適な実施例に関する。
【００２９】
本例は、本発明による方法をよりフレキシブルにするという理由により、特に好適である。
【００３０】
サーバまたは他のデータ処理ユニットにおいて、データイベントが評価され、制御コマンドに変換される。
【００３１】
小荷物仕分けシステムとサーバ間の特に好適な双方向データ送信の例示された実施例では、小荷物仕分けシステムはそこから制御信号の送信要求を行うことが可能である。
【００３２】
好ましくは、利用されるサーバは、ＨＴＴＰプロトコルに従ってデータ転送コマンドの送信が可能なウェブサーバである。
【００３３】
制御コマンドの送信要求は、例えば、ＸＭＬファイルとしてサーバに送信される。
【００３４】
個々に利用されるデータの名前及び機能は以下に整理される。
【００３５】
【表１】
2005505842.tif 000002
好ましくは、データは、例えば、ＩＳＯ８８５９−１規格に従って、適当なフォーマットまたは暗号化により転送される。ＸＭＬ（Ｗ３Ｃ）は以下のデータタイプの利用が可能である。
【００３６】
ＡＳＣＩＩ値  ０ｘ０００９（タブ）
ＡＳＣＩＩ値  ０ｘ０００Ａ（ニューライン）
ＡＳＣＩＩ値  ０ｘ０００Ｃ（キャリッジリターン）
ＡＳＣＩＩ値  ０ｘ００２０−０ｘＤ７ＦＦ及びおｘＥ０００−０ｘＦＦＦＤ（プリンタブルキャラクタ）
所定のデータタイプに限定されたインタフェースの効果は、それが普遍的に配置可能であり、また拡張可能であり、また製造者に依存しないという事実にある。
【国際公開パンフレット】
2005505842.tif 000003
2005505842.tif 000004
2005505842.tif 000005
2005505842.tif 000006
2005505842.tif 000007
2005505842.tif 000008
2005505842.tif 000009
2005505842.tif 000010
2005505842.tif 000011
2005505842.tif 000012
【国際公開パンフレット（コレクトバージョン）】
2005505842.tif 000013
【手続補正書】
【提出日】平成15年9月30日(2003.9.30)
【手続補正１】
【補正対象書類名】明細書
【補正対象項目名】０００２
【補正方法】変更
【補正の内容】
【０００２】
国際特許出願第ＷＯ01/63494Ａ２号は、１以上のロッカーシステムが、物品の順序付け、その配送及び該ロッカーシステムの動作のための処理及びデータの管理及び供給を行うサーバに接続される物品配送のためのコンピュータ制御システムを開示する。
【手続補正２】
【補正対象書類名】明細書
【補正対象項目名】０００３
【補正方法】変更
【補正の内容】
【０００３】
本発明は、電子小荷物仕分けシステムのフレキシブルかつシンプルな適応を可能にする汎用タイプの方法を改良するという目的に基づくものである。特に、本方法は、小荷物仕分けシステムの動作パラメータの迅速かつ確実な変更を可能にする。
【手続補正３】
【補正対象書類名】明細書
【補正対象項目名】０００４
【補正方法】変更
【補正の内容】
【０００４】
本発明によると、サーバに蓄積されたデータに対し変更がなされたか確認するためのチェック手続きがサーバ領域において実行され、データストックに対し所定数の変更がなされたと同時に制御コマンドが小荷物仕分けシステムとのインタフェースを介し送信されるよう電子小荷物仕分けシステム制御方法が実行されることにより、この目的は実現される。
【手続補正４】
【補正対象書類名】特許請求の範囲
【補正対象項目名】全文
【補正方法】変更
【補正の内容】
【特許請求の範囲】
【請求項１】
電子小荷物パッケージ仕分けシステム制御方法であって、サーバに蓄積されたデータに対し変更がなされたか確認するためのチェック手続きがサーバ領域において実行され、データストックに対し所定数の変更がなされたと同時に制御コマンドが小荷物仕分けシステムとのインタフェースを介し送信されることを特徴とする方法。
【請求項２】
請求項１記載の方法であって、前記制御コマンドは、前記電子小荷物仕分けシステムの動作パラメータを変更することを特徴とする方法。
【請求項３】
請求項１または２の一項または両方に記載の方法であって、前記制御コマンドは、利用可能な動作機能の選択が変更されるよう前記電子小荷物仕分けシステムの領域にある電子制御ユニットに対し行われることを特徴とする方法。
【請求項４】
請求項３記載の方法であって、前記動作機能の変更は、小荷物仕分け室の開放可能性の変更からなることを特徴とする方法。
【請求項５】
前記請求項の１以上に記載の方法であって、前記小荷物仕分けシステムを制御する前記制御コマンドは、グラフィックユーザインタフェースのプロパティの変更であることを特徴とする方法。
【請求項６】
請求項５記載の方法であって、前記グラフィックユーザインタフェースのメニューアイテムの選択肢は、前記制御コマンドにより変更されることを特徴とする方法。
【請求項７】
前記請求項の１以上に記載の方法であって、前記制御コマンドは、ＸＭＬプロトコルに従い送信されることを特徴とする方法。
【請求項８】
前記請求項の１以上に記載の方法であって、前記電子小荷物仕分けシステムは、前記インタフェースに前記制御コマンドの送信リクエストを送信することを特徴とする方法。
【請求項９】
請求項８記載の方法であって、前記制御コマンドの送信リクエストは、イベント発生時に繰り返されることを特徴とする方法。
【請求項１０】
請求項８または９の一項または両方に記載の方法であって、前記リクエストは、所定期間後繰り返されることを特徴とする方法。
【請求項１１】
前記請求項の１以上に記載の方法であって、前記小荷物仕分けシステムは前記サーバにデータを送信することを特徴とする方法。
【請求項１２】
請求項１３記載の方法であって、前記サーバは、前記送信データを前記小荷物仕分けシステムを制御する制御コマンドに変換することを特徴とする方法。
【国際調査報告】
2005505842.tif 000014
2005505842.tif 000015
2005505842.tif 000016
2005505842.tif 000017